(57)【特許請求の範囲】
【請求項１】
一以上の縦割り筒状面を有する振動体と、
磁石機構を有し、前記振動体の振動に対応する電気信号との変換を行う変換部と、
前記変換部が固定される支持枠と、前記支持枠が固定され、前記振動体における前記縦割り筒状面の側部を固定する固定部と、を有する筐体と、を備え、
前記振動体は、前記縦割り筒状面の側部方向の前記筐体の表面に延長されていることを特徴とする電気音響変換器。
【請求項２】
前記振動体は、前記縦割り筒状面の側部方向において、前記筐体の表面に一周取り巻いて設けられることを特徴とする請求項１記載の電気音響変換器。
【請求項３】
一以上の縦割り筒状面を有する振動体と、
磁石機構を有し、前記振動体の振動に対応する電気信号との変換を行う変換部と、
前記振動体に振動を付与できる状態で前記変換部が固定される支持枠と、前記支持枠が固定され、前記振動体における前記縦割り筒状面の側部に繋がる接続部と、を有する筐体と、を備え、
前記縦割り筒状面の前記側部と前記筐体の接続部とは、表面が一致する形状に設けられていることを特徴とする電気音響変換器。
【請求項４】
前記縦割り筒状面は一対で並列に形成されるとともに、隣り合う前記縦割り筒状面の間に谷部を形成していることを特徴とする請求項１から３のいずれか一項に記載の電気音響変換器。
【請求項５】
前記筐体は、前記固定部又は前記接続部を備える外装部を有し、前記外装部の内周面が曲面により構成されている請求項１から４のいずれか一項に記載の電気音響変換器。
【発明の詳細な説明】
【技術分野】
【０００１】
本発明は、縦割り筒状面を振動させて音を再生するスピーカ又は音を収集するマイクロホンに好適な電気音響変換器に関する。
【背景技術】
【０００２】
音を再生する種々のスピーカの中には、リッフェル型スピーカなどの湾曲した振動板により構成されるものが知られている。
例えば、特許文献１には、振動板（スピーカ振動板）を光透過性のある素材で構成することにより、振動板を照明燈の保護カバーとして用いたスピーカ付照明装置が開示されている。このスピーカ付照明装置においては、筐状のフレームに振動板を取り付けている。
【０００３】
さらに、特許文献２にも、縦割り円筒状の振動板を同一方向に２個並列に一体に配置し、その振動板の端縁をフレームに固着したスピーカが開示されている。また、この特許文献２には、上記スピーカの他にも、縦割り円筒状の振動板を２組それぞれ閉鎖した円周的に並列に一体に配置して形成したスピーカや、縦割り円筒状の振動板を背中合わせに４個並列に配置、形成したスピーカが開示されている。そして、これら４個の振動板は、各振動板どうしの接合部が内側に配置された磁気回路又はボイスコイルボビンによって支持された構成とされており、全部の振動板が曲面を外側に向けて配置されている。
【０００４】
また、特許文献３には、２枚の振動板を並設するとともに、その振動板の中央部が湾曲するように両端部をフレームに弾性的に支持したスピーカが開示されている。このスピーカのフレームは、一対の平板部が中央連結部によって連結された略線対称な形状とされている。
なお、上記特許文献１〜３に開示されるスピーカの構造は、スピーカの動作原理と逆の動作原理を有するマイクロホンとして適用できるものである。
【先行技術文献】
【特許文献】
【０００５】
【特許文献１】実公昭６３‐３６８８９号公報
【特許文献２】特許第３５２１３１９号公報
【特許文献３】特許第５１９１７９６号公報
【発明の概要】
【発明が解決しようとする課題】
【０００６】
上記特許文献１〜３に開示されているように、湾曲した振動板を有するスピーカについては、振動板の端部を方形状のフレームに固着した構成とされており、スピーカの外観上において振動板と筐体とが区切られた形状とされていることから、いずれも似たような外観を有する。ところが、消費者の嗜好は多様化しており、この種の電気音響変換器の意匠性をより向上させることが望まれている。
また、これらの特許文献１〜３に開示されるスピーカでは、湾曲した振動板の形状を生かした意匠や音響特性が実現されていない。
【０００７】
本発明はこのような事情に鑑みてなされたもので、湾曲した振動面を有し、音響特性に優れるとともに、意匠性に優れた電気音響変換器を提供することを目的とする。
【課題を解決するための手段】
【０００８】
本発明の電気音響変換器は、一以上の縦割り筒状面を有する振動体と、磁石機構を有し、前記振動体の振動に対応する電気信号との変換を行う変換部と、前記変換部が固定される支持枠と、前記支持枠が固定され、前記振動体における前記縦割り筒状面の側部を固定する固定部と、を有する筐体と、を備え、前記振動体は、前記縦割り筒状面の側部方向の前記筐体の表面に延長されていることを特徴とする。
【０００９】
振動体を縦割り筒状面の側部方向の筐体の表面に延長して設けることで、電気音響変換器の外観に表れる縦割り筒状面と筐体の外観面とを同一の材料で一体に形成して、つなぎ目のない形状に設けることができる。したがって、外観において振動体と筐体とが区別されることなく一体感を持ったデザインが可能となり、優れた意匠性を発揮させることができる。
また、本発明の電気音響交換器をスピーカに適用した場合、振動体の縦割り筒状面と筐体の外観面とが連続して形成されていることから、その縦割り筒状面と筐体の外観面との接続部分から不要な回折波が発生することを防止することができる。したがって、スピーカから放音される音の指向特性や周波数特性を向上させることができ、優れた音響特性を発揮させることができる。
【００１０】
また、本発明の電気音響変換器において、前記振動体は、前記縦割り筒状面の側部方向において、前記筐体の表面に一周取り巻いて設けられるとよい。
【００１１】
本発明の電気音響変換器は、一以上の縦割り筒状面を有する振動体と、磁石機構を有し、前記振動体の振動に対応する電気信号との変換を行う変換部と、前記振動体に振動を付与できる状態で前記変換部が固定される支持枠と、前記支持枠が固定され、前記振動体における前記縦割り筒状面の側部に繋がる接続部と、を有する筐体と、を備え、前記縦割り筒状面の前記側部と前記筐体の接続部とは、表面が一致する形状に設けられていることを特徴とする。
振動体の縦割り筒状面と筐体の外観面とを別体で設けた場合でも、これらの表面が一致する形状に設けることで、一体感を持ったデザインが可能となり、優れた意匠性を発揮させることができる。
【００１２】
また、本発明の電気音響変換器において、前記縦割り筒状面は、一対で並列に形成されるとともに、隣接する前記縦割り筒状面の側部どうしの間で谷部を形成するとよい。
さらに、本発明の電気音響変換器において、前記筐体は、前記固定部又は前記接続部を備える外装部を有し、前記外装部の内周面が曲面により構成されているとよい。
【発明の効果】
【００１３】
本発明によれば、振動体と筐体とが区別されることなく、一体感を持ったデザインが可能となるので、音響特性に優れるとともに、意匠性に優れた電気音響変換器を提供することができる。
【図面の簡単な説明】
【００１４】
【図１】本発明の第１実施形態のスピーカを示す斜視図である。
【図２】図１のスピーカの横断面図である。
【図３】本発明の第２実施形態のスピーカを示す横断面図である。
【図４】本発明の第３実施形態のスピーカを示す横断面図である。
【図５】本発明の第４実施形態のスピーカを示す要部断面図である。
【図６】本発明の第５実施形態のスピーカを示す要部断面図である。
【図７】本発明の第６実施形態のスピーカを示す斜視図である。
【図８】本発明の第７実施形態のスピーカを示す斜視図である。
【図９】本発明の第８実施形態のスピーカを示す斜視図である。
【図１０】本発明の第９実施形態のスピーカを示す斜視図である。
【図１１】本発明の第１０実施形態のスピーカを示す斜視図である。
【図１２】本発明の第１１実施形態のスピーカを示す斜視図である。
【図１３】本発明の第１２実施形態のスピーカを示す斜視図である。
【図１４】本発明の第１３実施形態のスピーカを示す斜視図である。
【発明を実施するための形態】
【００１５】
以下、本発明の電気音響変換器をスピーカに適用した実施形態について図面を参照して説明する。
図１及び図２は、本発明の第１実施形態のスピーカを示す。
この実施形態のスピーカ（電気音響変換器）１００は、一以上の縦割り筒状面５を有する振動体１と、この振動体１を往復駆動するアクチュエータ（変換部）２と、これら振動体１及びアクチュエータ２を支持するための筐体３とを備えている。
【００１６】
振動体１は、一対の縦割り筒状面５が並列に形成されるとともに、隣接する縦割り筒状面５の一方の側部どうしの間で谷部６を形成した表面形状とされている。図示例の振動体１は、縦割り筒状面５に沿って湾曲形成された一対の湾曲板１１により構成されており、両湾曲板１１の谷部６を形成している側部どうしが一体に接合された状態とされている。
なお、上述の縦割り筒状面５とは、筒状の面の一部を縦割りにして切り取った面のことであり、上述の湾曲板１１の側部とは、縦割り筒状面５の湾曲する方向の側部のことである。そして、この振動体１においては、谷部６の延在方向が縦方向、これと直交する方向が横方向である。
【００１７】
また、振動体１は、その材料が限定されるものではなく、スピーカの振動板として一般的に用いられる合成樹脂、紙、金属等の材料を用いることができ、例えばポリプロピレン、ポリエステル等の合成樹脂からなるフィルムを真空成形することにより、比較的容易に成形することができる。
なお、振動体１の両湾曲板１１は、１枚のフィルムから接合部１３となる中央部を折り返して一体に成形することにより、両湾曲板１１の間の折り返し部分に断面がＶ字状又はＵ字状の接合部１３が形成された形状とすることもできる。また、振動体１の両湾曲板１１は、２枚のフィルムの湾曲板１１の一側部どうしを接着して形成することもできる。
【００１８】
また、湾曲板１１の縦割り筒状面５は、必ずしも単一円弧面でなくてもよく、複数の曲率を連続させたもの、縦割り筒状面５の周方向（横方向）に沿う断面が放物線形状やスプライン曲線など曲率が一定ないし連続的に変化するもの、角筒状面としたもの、階段状に複数の段差部を有する形状としたものなどを採用することができる。したがって、湾曲板１１の縦割り筒状面５は、一方向（縦割り筒状面５の周方向：横方向）に湾曲し、その一方向と直交する方向（縦割り筒状面５の縦方向）へは直線状となっている。そして、一対の湾曲板１１がその凸となる方向を同じ表面側に向けて並列に配置されるとともに、隣接する側部どうしが、接合部１３で共通する接線方向を有するように接合されている。そして、この接合部１３に沿って、両湾曲板１１の間に、縦割り筒状面５の縦方向に沿う直線状に谷部６が形成されている。
また、均一な再生音を得るためには、図２に示すように、両湾曲板１１を接線Ｌに対して対称に形成することが好ましい。ただし、本発明においては、必ずしも線対称でなくてもよい。
【００１９】
アクチュエータ２は、振動体１の谷部１２をその深さ方向に振動させるものであり、例えばボイスコイルモータが用いられる。本実施形態においては、アクチュエータ２は、図２に示すように、湾曲板１１の接合部１３に設けられたボイスコイル２０と、筐体３の支持枠３２に固定された磁石機構２１とにより構成される。
ボイスコイルは、円筒状のボビン２０ａの周りにコイル２０ｂが巻回されたものであり、その直径方向に湾曲板１１の接合部１３が配置されるように、ボイスコイル２０の上端と接合部１３の下縁とが接着剤等を介して固着されている。そして、このボイスコイル２０の外周部がダンパー２２を介して支持枠３２に支持されており、ボイスコイル２０は支持枠３２に対してボイスコイル２０の軸方向に沿って往復移動自在に設けられている。なお、ダンパー２２には、一般的なダイナミックスピーカに用いられる材料のものを適用することができる。
【００２０】
磁石機構２１は、環状の磁石２３と、この磁石２３の一方の極に固定されたリング状のアウターヨーク２４と、他方の極に固定されたインナーヨーク２５とを備えており、インナーヨーク２５の中心のポール部２５ａの先端部がアウターヨーク２４内に配置されることにより、これらアウターヨーク２４とインナーヨーク２５との間に、環状に磁気ギャップ２６が形成され、この磁気ギャップ２６内にボイスコイル２０の端部が挿入されている。
【００２１】
筐体３は、図２に示すように、外装部３１と、その外装部３１に取り付けられた支持枠３２とを備えている。
外装部３１は、例えばＭＤＦ（Ｍｅｄｉｕｍ  Ｄｅｎｓｉｔｙ  Ｆｉｂｅｒｂｏａｒｄ）やパーティクルボードなどの材料により形成され、略円筒形状の一部をその円筒軸方向（図１では上下方向）で切欠いた形状とされる。その切欠かれた開口溝部３１ａの内側には、支持枠３２が開口溝部３１ａを跨ぐように取り付けられる。そして、外装部３１と振動体１とで囲まれた領域に空間部３３が形成される。なお、外装部３１の材料は、スピーカの筐体に用いられる材料であれば、上述の材料に限らず他の材料でもよい。
なお、空間部３３の円筒軸方向（縦方向）の両端部には、図１に示すように、その空間部３３の両端を閉塞する一対の端板３４が設けられている。両端板３４は、振動体１の往復移動を阻害しないように、振動体１との間に僅かな隙間３５を設けて配置されている。なお、この隙間３５には、振動体１の往復振動に影響しないような多孔質材（スポンジ材）等の部材を挿入して、隙間３５を塞いでもよい。
【００２２】
支持枠３２は、例えば金属材により成形され、外装部３１の開口溝部３１ａにおいて、その外装部３１の内周面の端部に固定される外側フレーム部３２ａと、その外側フレーム部３２ａから半径方向内方に向けて延びる傾斜板部３２ｂと、傾斜板部３２ｂの下端に形成された内側フレーム部３２ｃとを備え、その内側フレーム部３２ｃに磁石機構２１が取り付けられる。
そして、外装部３１の開口溝部３１ａにおいて、その外装部３１の外周面の端部（固定部３１ｂ）に、振動体１の両湾曲板１１の接合部１３とは反対側の側部（縦割り筒状面５の側部）が固定される。
【００２３】
また、振動体１は、両湾曲板１１の湾曲方向において、接合部１３とは反対側の側部（縦割り筒状面５の側部）よりも大きく延びて設けられる。すなわち、振動体１は、外装部３１の固定部３１ｂを超えて縦割り筒状面５の側部方向の外装部３１の外周面（筐体３の表面）に延長されている。本実施形態のスピーカ１００の振動体１は、縦割り筒状面５の側部方向において、筐体３の外装部３１の外周面（筐体３の表面）を一周取り巻いて設けられ、振動体１の縦割り筒状面５と筐体３の外観面３０とが、同一の材料により一体に形成される。これにより、振動体１の縦割り筒状面５と筐体３の外観面３０とは、その縦割り筒状面５の側部方向に連続した形状設けられ、図２に示すように横断面がハート形に形成される。
【００２４】
このように構成されたスピーカ１００においては、上述したように、振動体１の両湾曲板１１の接合部１３とは反対側の側部（縦割り筒状面５の側部）が筐体３の外装部３１の固定部３１ｂ（開口溝部３１ａの端部）に固定される一方で、両湾曲板１１の隣接する側部どうしを接合した接合部１３がアクチュエータ２によって振動自在に設けられる。したがって、振動体１に固定されたアクチュエータ２のボイスコイル２０に音声信号に応じた駆動電流が流れると、その駆動電流によって生じる磁束変化と、磁気ギャップ２６内の磁界とにより、ボイスコイル２０に駆動電流に応じた駆動力が作用し、磁界と直交する方向（ボイスコイル２０の軸方向、図２では矢印で示す上下方向）にボイスコイル２０を振動させる。これにより、このボイスコイル２０に接続されている振動体１が、谷部６の深さ方向に沿って振動し、表面から再生音が放射される。
【００２５】
また、スピーカ１００においては、外観に表れる振動体１の縦割り筒状面５と筐体３の外観面３０とを、同一の材料によって一体に設けて、その縦割り筒状面５の側部方向に連続した形状に設けることで、外観において振動体１と筐体３とが区別されることなく滑らかな一体感を持ったデザインが可能となっており、優れた意匠性を発揮させることができる。
そして、振動体１の縦割り筒状面５と筐体３の外観面３０とが連続した形状に形成されていることから、その縦割り筒状面５と筐体３の外観面３０との接続部分から不要な回折波が発生することを防止することができる。また、筐体３の外観面３０が曲面で形成されるため、筐体３からの回折波の発生を抑制することができる。したがって、スピーカ１００から放音される音の指向特性や周波数特性を向上させることができ、優れた音響特性を発揮させることができる。
さらに、筐体３の外装部３１の内周面を曲面で形成していることから、筐体３内の定在波の発生が抑制され、放射される音の周波数特性を向上させることもできる。
【００２６】
また、本実施形態のスピーカ１００のように、振動体１の縦割り筒状面５と筐体３の外観面３０とを同一の材料で形成することで、これら振動体１の縦割り筒状面５と筐体３の外観面３０とを、つなぎ目のない滑らかな形状に設けることができるので、より外観の一体感を向上させることができる。
なお、本実施形態のスピーカ１００は、筐体３の外装部３１の横断面がハート形に形成され、外観面３０が曲面のみで構成されていたが、これに限定されるものではない。図３に示す第２実施形態のスピーカ２０２や、図４に示す第３実施形態のスピーカ２０３のように、筐体３の外装部３１の一部が平面で形成される場合においても、振動体１の縦割り筒状面５と筐体３の外観面３０とを同一の材料で形成することで、外観の一体感を向上させることができる。
また、振動体１の縦割り筒状面５と筐体３の外観面３０とは、連続した形状とされていれば必ずしも同一の材料で形成する必要はないが、本実施形態のように同一の材料で形成した方が、より高い意匠性や音の特性の効果を発揮させることができる。
【００２７】
さらに、本実施形態のスピーカ１００では、振動体１を、縦割り筒状面５の側部方向の筐体３の外観面３０に延長して、筐体３の外観面３０（筐体３の表面）に一周取り巻いて設けているが、スピーカの背面部分のように、スピーカを使用する際に受聴者の目に触れない部分については、意匠性に影響を与え難いことから、外観の一体感を確保する必要性は低い。このため、振動体１は、少なくとも縦割り筒状面５の側部方向の筐体３の前面側まで延長されていればよく、スピーカ１００の背面側までカバーすることは必須ではない。
【００２８】
また、スピーカ１００においては、筐体３の上下の端板３４が平面で形成されるため、複数のスピーカ１００の端板３４どうしを連結して、複数のスピーカ１００を円筒軸方向（縦方向）に連続して配列したラインアレイスピーカを構築することができる。この場合、複数のスピーカ１００のそれぞれの振動体１の谷部６を縦方向に揃えて、各振動体１をほぼ隙間なく連続させて配置することが可能となる。そうすると、複数に連なる一対の縦割り筒状面５が、あたかも長大な一対の縦割り筒状面として機能するため、上下方向は制限された指向特性を持ちつつ、左右方向には広い指向特性を有することとなる。したがって、所望のエリアのみに音をサービスすることが可能なスピーカを提供できる。
【００２９】
図５から図１４は、他の実施形態のスピーカを示している。これらの実施形態において、振動体等の構成要素は第１実施形態と同じものが用いられるので、各図において、第１実施形態と共通要素には同一符号を付して説明を簡略化する。
【００３０】
図５に示す第４実施形態のスピーカ２０４は、振動体１の縦割り筒状面５と筐体３の外観面３０とを別体で設けた構成とされるが、これら振動体１の縦割り筒状面５の側部と、その縦割り筒状面５の側部に繋がる筐体３の外観面３０の端部の接続部３１ｃとを、接線が連続となるように滑らかに繋がる一致した形状に設けている。このように、振動体１の縦割り筒状面５の側部と筐体３の外観面３０の接続部３１ｃとを、表面が一致する形状に設けることで、振動体１の縦割り筒状面５と筐体３の外観面３０とを同一の材料で形成しない場合でも、一体感を持ったデザインが可能となり、優れた意匠性を発揮させることができる。
【００３１】
図６に示す第５実施形態のスピーカ２０５は、上記の第４実施形態の振動体１の縦割り筒状面５と筐体３の外観面３０とを別体で設けた構成に加えて、縦割り筒状面５の側部の背後に、振動体１を谷部６の深さ方向に往復振動が可能に支持するエッジ部７を設けている。この場合、振動体１の湾曲板１１の側部がエッジ部７により支持されているので、振動体１の全体が一様に振動し、いわゆるピストンモーションによる振動が可能となる。このため、スピーカ２０５においては、ダイナミックスピーカと同様に、低音域においても高い音圧を有して再生可能となり、再生周波数を低音域まで延ばすことができる。この第５実施形態のスピーカ２０５においても、縦割り筒状面５の側部と外観面３０の接続部３１ｃとを、表面が一致する形状に設けることで、意匠性を損なうことなく、優れた意匠性を発揮させることができる。
【００３２】
図７に示す第６実施形態のスピーカ２０６は、２つの振動体１と、これら２つの振動体１の間に平面部３６を配置した構成とされ、２つの振動体１は、それぞれの谷部６の延在方向が平行となるように、平面部３６を介して左右に並んで配置される。また、筐体３の両側部３７は、縦割り筒状面５の側部方向を延長するような半円筒状の外面を有しており、この両側部３７及び平面部３６を含む筐体３の外観面３０と、２つの振動体１の縦割り筒状面５とが、同一の材料により一体に形成される。このように、各振動体１は、縦割り筒状面５の側部方向の筐体３の表面に延長され、筐体３の表面を一周取り巻いて設けられる。このように、複数の振動体１を有するスピーカ２０６においても、振動体１の縦割り筒状面５と筐体３の外観面３０とを、つなぎ目のない滑らかな形状に設けることができるので、外観の一体感を向上させることができる。
また、このスピーカ２０６には、図示は省略するが、振動体１を往復駆動するためのアクチュエータが、各振動体１の谷部６の底部にそれぞれ設けられている。これにより、スピーカ２０６では、各振動体１によって２チャンネルの音声信号を処理することができる。更に、２つの振動体１の間の平面部３６に、第３のチャンネルの音声信号用（例えば、センター用の音声信号）に対応する振動体１を追加、配置して、図８に示す第７実施形態のスピーカ２０７のように、３つの振動体１を備える構成とすることもできる。スピーカ２０７は、３つの振動体１が、それぞれの谷部６の延在方向が平行となるように、平面部３６を介して左右に並んで配置される。また、筐体３の両側部３７は、縦割り筒状面５の側部方向を延長するような半円筒状の外面を有しており、この両側部３７及び平面部３６を含む筐体３の外観面３０と、３つの振動体１の縦割り筒状面５とが、同一の材料により一体に形成される。このように、このスピーカ２０７においても、第６実施形態のスピーカ２０６と同様に、各振動体１は、縦割り筒状面５の側部方向の筐体３の表面に延長され、筐体３の表面を一周取り巻いて設けられる。
【００３３】
この第６実施形態のスピーカ２０６及び第７実施形態のスピーカ２０７においても、外観に表れる各振動体１の縦割り筒状面５と筐体３の外観面３０とが、その縦割り筒状面５の側部方向に連続した形状に設けられている。これにより、第１実施形態のスピーカ１００と同様に、外観において振動体１と筐体３とが区別されることなく滑らかな一体感を持ったデザインが可能となっている。
また、これら第６実施形態のスピーカ２０６及び第７実施形態のスピーカ２０７のように、複数の振動体１を組み合わせた構成とすることで、ステレオ２チャンネル、２．１チャンネル（ステレオ２チャンネルと低音用の０．１チャンネルの構成）、または３チャンネル（ステレオ２チャンネルとセンター用の１チャンネル）の音声信号の再生を、一つのスピーカで実現できる。
【００３４】
図９は、第８実施形態のスピーカ２０８を示す。このスピーカ２０８は、筐体３の正面側の外観面３０を平面のみで構成し、正面側の外観に表れる各振動体１の縦割り筒状面５をその側部方向に延長して、縦割り筒状面５と筐体３の外観面３０とを、同一の材料により連続した形状に設けている。
このように、正面側の筐体３を平面のみで構成したスピーカ２０８は、図９に示すように、スピーカを有するその他の製品の外装（図９の二点鎖線）の一部を構成するように組み込まれることで、外観において振動体１及び筐体３と、前述の製品とが区別されることなく一体となって、滑らかな外観を持った製品のデザインが可能となる。
【００３５】
図１０は、第９実施形態のスピーカ２０９を示す。このスピーカ２０９は、振動体１が、その谷部６の延在方向において第１実施形態のスピーカ１００よりも長尺に設けられており、第１実施形態のスピーカ１００が、谷部６の延在方向を上下方向に配置して使用するのに対して、第９実施形態のスピーカ２０９は、谷部６の延在方向を左右方向に配置して使用する。
また、このスピーカ２０９においても、第１実施形態のスピーカ１００と同様に、振動体１が、縦割り筒状面５の側部方向の筐体３の外観面３０に延長され、筐体３の表面に一周取り巻いて設けられ、縦割り筒状面５と外観面３０とが同一の材料で形成される。そして、スピーカ２０９には、図示は省略するが、振動体１を往復駆動するためのアクチュエータが、谷部６の延在方向に間隔をおいて複数個（例えば２個）設けられている。これにより、振動体１の全体を、その谷部６の延在方向において一様に振動させることができるので、谷部６の延在方向と直交する上下方向にはスピーカ２０９の高さよりも広く、その一方で谷部６の延在方向に沿う左右方向にはスピーカ２０９の幅に限定されたエリアにおいて、均一な音声を提供できる。
【００３６】
また、図１１に示す第１０実施形態のスピーカ２１０のように、縦割り筒状面５の谷部６の延在方向における中央部を前方に押し出して、スピーカ２１０全体を湾曲させた形状に形成することもできる。したがって、スピーカ２１０では、谷部６も、その延在方向の中央部を前方に押し出して湾曲した形状に形成される。
また、スピーカ２１０は、図１１に示すように、スピーカ２１０の後方に薄い箱状のラック８（同図の二点鎖線）を合体させて設けることもできる。そして、スピーカ２１０は、第９実施形態のスピーカ２０９と同様に、谷部６の延在方向を左右方向に配置して使用する。
スピーカ２１０は、第１実施形態のスピーカ１００と同様に、振動体１が、縦割り筒状面５の側部方向の筐体３の外観面３０に延長され、筐体３の表面に一周取り巻いて設けられ、縦割り筒状面５と外観面３０とが同一の材料で形成される。また、縦割り筒状面５の側部方向（谷部６の延在方向と直交する方向）に沿う断面形状は、どの位置においても、図２に示す第１実施形態のスピーカ１００と同様に、同じ形状とされる。そして、スピーカ２０９は、縦割り筒状面５の中央部を前方に押し出して湾曲させた形状に形成しているので、谷部６の延在方向と直交する上下方向にはスピーカ２０９の高さよりも広く、かつ、谷部６の延在方向に沿う左右方向においてはスピーカ２０９の幅よりも広いエリアで、均一な音声を提供できる。
【００３７】
また、図１２に示す第１１実施形態のスピーカ２１１のように、振動体１の縦割り筒状面５と筐体３の外観面３０とを、谷部６の延在方向の中央付近を前方に押し出し、かつ、左右方向に膨らませて、全体として樽状に構成することもできる。この場合、縦割り筒状面５の側部方向に沿う断面形状は、谷部６の両側部から中央部にかけて漸次大きくなる形状とされる。そして、このスピーカ２１１は、第１実施形態のスピーカ１００と同様に、谷部６の延在方向を上下方向に配置して使用する。
スピーカ２１１も、第１実施形態のスピーカ１００と同様に、振動体１が、縦割り筒状面５の側部方向の筐体３の外観面３０に延長され、筐体３の表面に一周取り巻いて設けられ、縦割り筒状面５と外観面３０とが同一の材料で形成される。また、このスピーカ２１１では、振動体１の縦割り筒状面５を、谷部６の延在方向における中央部を前方に押し出し、かつ、左右方向に膨らませて形成することで、縦割り筒状面５の側部方向だけでなく、谷部６の延在方向にも湾曲させた形状に設けている。これにより、谷部の延在方向に沿う上下方向にはスピーカ２１１の高さよりも広く、かつ、谷部６の延在方向と直交する左右方向においてもスピーカ２１１の幅よりも広いエリアで、均一な音声を提供できる。
【００３８】
また、図１３に示す第１２実施形態のスピーカ２１２のように、振動体１を複数対（例えば、同図に示すように二対）の縦割り筒状面５の側部どうしを繋げて連続した湾曲形状に形成することで、振動体１を構成する複数対の縦割筒状面５を、その縦割り筒状面の側部方向に合体した形状とし、複数チャンネル（同図の構成では２チャンネル）の音声信号を出力するスピーカを構成することも可能である。
このスピーカ２１２では、第６実施形態のスピーカ２０６や第７実施形態のスピーカ２０８とは異なり、複数対の縦割り筒状面５の側部どうしの間に平面部３６を介在させずに、隣接する縦割り筒状面５の側部どうしを繋げて、これら縦割り筒状面５を合体させた複数の湾曲形状により振動体１が形成される。そして、この振動体１が、縦割り筒状面５の側部方向の筐体３の外観面３０に延長され、筐体３の表面に一周取り巻いて設けられることにより、縦割り筒状面５と外観面３０とが同一の材料で形成される。
【００３９】
一方、第１実施形態のスピーカ１００（図１）や第１２実施形態のスピーカ２１２（図１２）のように、振動体１を一対または複数対の縦割り筒状面５で構成するのではなく、図１４に示す第１３実施形態のスピーカ２１３のように、振動板１を１つの縦割り筒状面５で形成することも可能である。このスピーカ２１３においても、振動体１が、縦割り筒状面５の側部方向に延長され、筐体３の表面に一周取り巻いて設けられることにより、縦割り筒状面５と外観面３０とが同一の材料で形成される。
【００４０】
このように、これらの様々な形態を有するスピーカ２１０〜２１３においても、外観に表れる各振動体１の縦割り筒状面５と筐体３の外観面３０とを、その縦割り筒状面５の側部方向に連続した形状に設けることで、外観において振動体１と筐体３とが区別されることなく滑らかな一体感を持ったデザインが可能となる。
【００４１】
なお、本発明は、上記実施形態に限定されるものではなく、本発明の趣旨を逸脱しない範囲において種々の変更を加えることが可能である。
例えば、振動体を往復駆動する変換部として、ボイルコイルモータを適用したが、ボイルコイルモータに代えて、圧電素子等を用いてもよい。
また、上記実施形態ではいずれも本発明をスピーカに適用したが、本発明をマイクロホンに適用することも可能である。本発明をスピーカに適用する場合は、ボイスコイルモータ等の変換部が、音声信号に基づく電気信号を振動体の振動に変換するが、本発明をマイクロホンに適用する場合も、変換部としてボイスコイルモータ等を用いることができ、その場合の変換部は、音波を受けて振動する振動体の振動を電気信号に変換する。
【００４２】
なお、本発明の実施形態のスピーカは、スピーカとして単独で用いることもできるが、例えば、振動体及び筐体の外観面を構成する材料を透過性のある樹脂等で形成し（図２の場合においては、振動体１及び筐体３の外観面３０を構成する材料に加えて外装部３１を透過性のある樹脂で形成するとよい。）、筐体の内部から照明をあてることにより、インテリア家具として用いることもできる。また、電子鍵盤楽器等のスピーカを有するその他の製品の外装の一部を構成するように適用することも可能である。
【符号の説明】
【００４３】
１…振動体、２…アクチュエータ（変換部）、３…筐体、５…縦割り筒状面、６…谷部、７…エッジ部、８…ラック、１１…湾曲板、１３…接合部、２０…ボイスコイル、２０ａ…ボビン、２０ｂ…コイル、２１…磁石機構、２２…ダンパー、２３…磁石、２４…アウターヨーク、２５…インナーヨーク、２５ａ…ポール部、２６…磁気ギャップ、３０…外観面、３１…外装部、３１ａ…開口溝部、３１ｂ…固定部、３１ｃ…接続部、３２…支持枠、３２ａ…外側フレーム部、３２ｂ…傾斜板部、３２ｃ…内側フレーム部、３３…空間部、３４…端板、３５…隙間、３６…平面部、３７…両側部、１００，２００，３００…スピーカ
【図１】
0006435662.tif 000002
【図２】
0006435662.tif 000003
【図３】
0006435662.tif 000004
【図４】
0006435662.tif 000005
【図５】
0006435662.tif 000006
【図６】
0006435662.tif 000007
【図７】
0006435662.tif 000008
【図８】
0006435662.tif 000009
【図９】
0006435662.tif 000010
【図１０】
0006435662.tif 000011
【図１１】
0006435662.tif 000012
【図１２】
0006435662.tif 000013
【図１３】
0006435662.tif 000014
【図１４】
0006435662.tif 000015